(57)【特許請求の範囲】
【請求項１】
薬液の貯留可能なボトル型形状の薬液容器１の外面５に、縦線部７と該縦線部７と交差する、上下方向に所定間隔おいて複数並設した横線部８とによって構成するライン表示部１４と、該ライン表示部１４近傍に表示した文字表示部９を有して目盛り６を構成し、この目盛り６は予め表示形態を相違させて複数設け、複数の目盛り６のうち一つの目盛り６を選択してマーカー１５によりマーキングする構成とし、前記複数の目盛り６には、直線状のマーキング用溝１６を夫々設けた、前記マーキング用溝１６は、外面５に対して所定高さを有する左右一対の直線状の突条１８を設け、この左右の突条１８の間に前記マーキング用溝１６を設けた薬液容器。
【請求項２】
請求項１において、前記マーキング用溝１６は、マーカー１５の先端によりなぞったとき、マーカー１５が乗り越えずに引っ掛かる高さを有する左右一対の直線状の突条１８を設け、この左右の突条１８の間に前記マーキング用溝１６を設けた薬液容器。
【請求項３】
請求項１または請求項２において、前記目盛り６は、縦線部７と横線部８とを、縦線部７の一方側に横線部８を配置して構成し、少なくとも、縦線部７は、外面５に対して所定高さを有する左右一対の直線状の突条１８を設け、この左右の突条１８の間に前記マーキング用溝１６を設けて構成した薬液容器。
【請求項４】
薬液の貯留可能な薬液容器１の成形用型２０の内面所定部分に一対の直線状の凹溝状の彫刻溝２１を刻み、前記成形用型２０に合成樹脂を注入して空気を吹き込んで形成する薬液容器の製造方法。
【発明の詳細な説明】
【技術分野】
【０００１】
本発明は、外面にマーカーを付けて使用する薬液容器およびその製造方法に関するものである。
【背景技術】
【０００２】
従来から、病院や診療所等の医療機関の薬局で、薬剤師が処方箋に基づいて薬液容器に薬液の全量の注入前あるいは注入後、複数の目盛りの内の、処方箋に基づく一回の服用量（使用量）に該当する目盛りを選択してマジックインキ（商標登録）などによってマーキングすることが行われており、この複数の目盛りうちの一つを選択して使用する方法は公知である。
即ち、薬液容器の外面には、処方回数や処方日数の相違する表示態様の目盛りを予め複数設けておき、多くの患者に個別に対応するため、薬剤師が手作業で、処方箋に基づく一回の服用量（使用量）に該当する目盛りを選択してマジックインキ（商標登録）等のマーカーによってマーキングしている。
【先行技術文献】
【特許文献】
【０００３】
【特許文献１】実用新案登録第３０６０７９７号
【発明の概要】
【発明が解決しようとする課題】
【０００４】
前記公知例の手作業により行うマーキング作業は、予め施した薬液容器の外面の目盛りを選択して、丸印を付け、目盛りをマーカーによりマーキングして行っていたが、薬液容器の目盛りの上から線を引くのは容易でなく、該当目盛りに丸や矢印などのしるしをつけるだけである。
元来、これらの容器の目盛りはマーキングすることを前提に作られたものではないので、調剤現場においてのマーキング作業は、非常に面倒な作業であるという課題がある。
本願は、誤飲のリスクを軽減するため、薬液容器へのマーキング作業を簡単且つ美麗にできるように工夫したものである。
【課題を解決するための手段】
【０００５】
請求項１の発明は、薬液の貯留可能なボトル型形状の薬液容器１の外面５に、縦線部７と該縦線部７と交差する、上下方向に所定間隔おいて複数並設した横線部８とによって構成するライン表示部１４と、該ライン表示部１４近傍に表示した文字表示部９を有して目盛り６を構成し、この目盛り６は予め表示形態を相違させて複数設け、複数の目盛り６のうち一つの目盛り６を選択してマーカー１５によりマーキングする構成とし、前記複数の目盛り６には、直線状のマーキング用溝１６を夫々設け、前記マーキング用溝１６は、外面５に対して所定高さを有する左右一対の直線状の突条１８を設け、この左右の突条１８の間に前記マーキング用溝１６を設けた薬液容器としたものである。
請求項２の発明は、前記マーキング用溝１６は、マーカー１５の先端によりなぞったとき、マーカー１５が乗り越えずに引っ掛かる高さを有する左右一対の直線状の突条１８を設け、この左右の突条１８の間に前記マーキング用溝１６を設けた薬液容器としたものである。
請求項３の発明は、前記目盛り６は、縦線部７と横線部８とを、縦線部７の一方側に横線部８を配置して構成し、少なくとも、縦線部７は、外面５に対して所定高さを有する左右一対の直線状の突条１８を設け、この左右の突条１８の間に前記マーキング用溝１６を設けて構成した薬液容器としたものである。
請求項４の発明は、薬液の貯留可能な薬液容器１の成形用型２０の内面所定部分に一対の直線状の凹溝状の彫刻溝２１を刻み、前記成形用型２０に合成樹脂を注入して空気を吹き込んで形成する薬液容器の製造方法としたものである。
【発明の効果】
【０００６】
請求項１の発明では、外面５のマーキング用溝１６をマーカー１５によりなぞればよいので、直線によるマーキング作業を可能とし、マーキングを容易に且つ美麗にすることができ、マーキング用溝１６を外面５に対して所定高さを有する左右一対の突条１８を設けて形成しているので、マーキング用溝１６の成形を容易にできる。
請求項２の発明では、マーカー１５が乗り越えずに引っ掛かる高さを有する左右一対の突条１８の間にマーキング用溝１６を設けているので、マーキング用溝１６を容易に製造できるだけでなく、直線によるマーキングを容易に且つ美麗にすることができる。
請求項３の発明では、縦線部７の一方側に横線部８を設け、縦線部７にマーキング用溝１６を形成しているので、マーキング用溝１６を容易に製造できるだけでなく、直線によるマーキングを容易に且つ美麗にすることができる。
請求項４の発明では、成形用型２０内に削る凹溝形状の彫刻溝２１でありながら、成形後の薬液容器１の外面５に凹溝状のマーキング用溝１６を設けることができ、薬液容器１への直線状のマーキング作業を容易に且つ美麗にすることができる。
【図面の簡単な説明】
【０００７】
【図１】薬液容器の正面図。
【図２】薬液容器の左側面図。
【図３】薬液容器の右側面図。
【図４】目盛りの展開状態図。
【図５】目盛りの他の実施例の展開状態図。
【図６】目盛りの他の実施例の展開状態図。
【図７】目盛りの他の実施例の展開状態図。
【図８】（イ）全量表示部が３０ミリリットルの目盛りの他の実施例の展開状態図。        （ロ）全量表示部が６０ミリリットルの目盛りの他の実施例の展開状態図。        （ハ）全量表示部が１００ミリリットルの目盛りの他の実施例の展開状態図。
【図９】目盛りのマーキング前とマーキング後の展開状態図。
【図１０】マーキング状態の断面図。
【図１１】（イ）薬液容器の成形用型の彫刻溝の一部断面図。                              （ロ）薬液容器の成形状態の一部断面図。                                      （ハ）薬液容器のマーキング用溝の一部断面図。
【発明を実施するための形態】
【０００８】
本発明の実施形態を図により説明すると、１は薬液（内服薬および外用薬）を貯留可能な薬液容器であり、上方へ行くほど窄まった肩部３と、肩部３の上端の上端開口部４とを有している。なお、図示は省略するが、上端開口部４は蓋により閉塞する。
薬液容器１は、合成樹脂をブロー成形により形成する。薬液容器１の形状は任意であるが、ボトル型に構成している。
【０００９】
薬液容器１の外面５の所定位置には、目盛り６を設ける。目盛り６は縦線部７と該縦線部７と交差する横線部８をとによって構成するライン表示部１４と、該ライン表示部１４近傍に表示した数字等の文字表示部９を有して構成する。横線部８は上下方向に所定間隔おいて複数並設する。
【００１０】
薬液容器１は、処方指示を受けた薬液を入れるものであり、処方される薬液の種類や患者によって処方量が相違するため、予め、表示形態の相違する複数の目盛り６を設け、薬剤の注入前あるいは注入後に、複数の目盛り６から服用位置の目盛り６を選択して、後述するマーキングする。
【００１１】
目盛り６の表示は任意であるが、以下一例を示し、例えば、前記目盛り６のうち、図２の目盛り６Ａは、最上部の長横線部８Ｂの上に数字を表示した薬液の文字表示部９の全量表示部１０を設けており、２００ミリリットルを表示している。この全量表示部１０の下に等間隔で短横線部８Ａを設け、この短横線部８Ａ近傍に薬液量数字表示部１１を設けている。薬液量数字表示部１１は、薬液を量により服用するために使用する目盛り６となる。
【００１２】
また、図２の目盛り６Ｂと目盛り６Ｃでは、横線部８のうち前記短横線部８Ａにより一回の服用量を示し、長横線部８Ｂにより、服用一日分を示し、目盛り６Ｂでは、長横線部８Ｂの間に短横線部８Ａを３本設けて１日４回の服用で、４日分を表示したものである。また、前記目盛り６のうち、目盛り６Ｃは、長横線部８Ｂの間に短横線部８Ａを３本設けて１日４回の服用する薬液の７日分を表示したものである。
【００１３】
また、前記目盛り６のうち、目盛り６Ｄは、長横線部８Ｂの間に短横線部８Ａを２本設けて１日３回の服用する薬液の２日分を表示しており、目盛り６の上部の数字「２」は薬液の２日分の表示に対応させている。
【００１４】
前記目盛り６のうち、目盛り６Ｅは、長横線部８Ｂの間に短横線部８Ａを２本設けて１日３回の服用する薬液を３日分を表示するものであり、目盛り６の上部の文字表示部９の数字「３」を薬液の３日分の表示に対応させている。
【００１５】
前記目盛り６のうち、目盛り６Ｆは、長横線部８Ｂの間に短横線部８Ａを２本設けて１日３回の服用する薬液を４日分を表示するものであり、目盛り６の上部の文字表示部９の数字「４」を薬液の４日分の表示に対応させている。
【００１６】
前記目盛り６のうち、目盛り６Ｇは、長横線部８Ｂの間に短横線部８Ａを２本設けて１日３回の服用する薬液を５日分を表示するものであり、目盛り６の上部の文字表示部９の数字「５」を薬液の５日分の表示に対応させている。
【００１７】
前記目盛り６のうち、目盛り６Ｈは、長横線部８Ｂの間に短横線部８Ａを２本設けて１日３回の服用する薬液を６日分を表示するものであり、目盛り６の上部の文字表示部９の数字「６」を薬液の６日分の表示に対応させている。
【００１８】
前記目盛り６のうち、目盛り６Ｋは、長横線部８Ｂの間に短横線部８Ａを２本設けて１日３回の服用する薬液を７日分を表示するものであり、目盛り６の上部の文字表示部９の数字「７」を薬液の７日分の表示に対応させている。
【００１９】
また、図４の目盛り６の全量表示部１０では１５０ミリリットルと表示している。
図５の目盛り６の全量表示部１０では２００ミリリットルと表示している。
【００２０】
図８イの目盛り６の全量表示部１０では３０ミリリットルを、図８ロの目盛り６の全量表示部１０では６０ミリリットルを、図８ハの目盛り６の全量表示部１０では１００ミリリットルを夫々表示しているが、表示内容は任意である。
【００２１】
しかして、薬剤師は、個別の患者の処方指示を受けた薬液の充填前あるいは充填後に、複数の目盛り６（例えば、６Ａ〜６Ｋ）から前記処方指示に該当する目盛り６を選択してマーカー（筆記具）１５によりマーキングする（図４）。（薬液の充填とマーキングの順序は任意である。）
【００２２】
この場合、患者夫々の薬液を充填した薬液容器１に、当該患者専用の目盛り６を一つだけ付するのが理想ではあるが、コストおよび労力の問題により、前記したように、予め、複数の目盛り６を施し、これを選択して使用する。
【００２３】
前記各目盛り６には、複数の目盛り６のうち、選択して使用する目盛り６に、マーカー１５によるマーキングを行う直線状であって凹溝状のマーキング用溝１６を設ける。
【００２４】
マーキング用溝１６は、外面５に対して所定高さを有する一対の突条１８を相対峙させて設け、この突条１８の間に形成する。
【００２５】
薬液容器１は、合成樹脂のブロー成形で形成され、ブロー成形では、型の内面に堀溝を切削して目盛り６を形成しており、この目盛り６のことを、当業者では「彫刻目盛り」と称している。
【００２６】
この「彫刻目盛り」では、掘削による形成方法しか取る手段がなく、型に堀溝を彫刻すると、彫刻部分は、成形後外側に突出してしまうから、従来では薬液容器１の外周面に溝を形成することはできなかった。
【００２７】
そこで、本願では、成形用型２０に合成樹脂を注入して空気を吹き込んで形成した成形後の、薬液容器１の外側に相対峙して突出する二本の直線状の突条１８に対応する、二本の直線状の彫刻溝２１を所定間隔おいて成形用型２０の内側所定位置に刻み(図１１)、成形後に彫刻溝２１が突条１８となるようにし、この一対の突条１８間をマーキング用のラインを引くときの凹溝状のマーキング用溝１６に形成したものである。
【００２８】
マーキング用溝１６は、マーカー１５の先端によりなぞったとき、マーカー１５が乗り越えずに引っ掛かる高さを有する一対の突条１８の間に凹溝状に設けると、マーキング作業を容易にでき、好適である。
マーキング用溝１６は、目盛り６の縦線部７と横線部８の一部または全部に設ける。
【００２９】
この場合、前記目盛り６は、縦線部７と横線部８とを、縦線部７の一方側に横線部８が位置させて設け、少なくとも、縦線部７は、外面５に対して前記左右一対の突条１８を設け、この左右の突条１８の間に凹溝状のマーキング用溝１６を設ける(図６，図７)。
【００３０】
即ち、縦線部７は、薬液容器１の外面５に外側に突出する突条１８を所定間隔をおいて一対並設し、一対の突条１８の間に凹溝状のマーキング用溝１６を形成すると、上下に長い縦線部７全体にラインを引くのが容易になり、選択した目盛り６を顕在化させることができる。
【００３１】
また、図１〜図５のように、例えば、横線部８のうちの長横線部８Ｂの一対の突条１８にも、凹溝状のマーキング用溝１６を形成すると、一回分の長横線部８Ｂを顕在化させることができ、薬剤の服用が容易になって、好適である。
【００３２】
マーキング用溝１６の左右幅は任意であるが、マーカー１５の先端でマーキングできる範囲において狭く形成すると、マーキング用溝１６内のマーキングが擦られるのを防止できて好適である。
【００３３】
薬液充填者（薬剤師）は、従来、特に、直線状のラインを書きにくかった縦線であっても、目盛り６のマーキング用溝１６をガイドとしてマーカー１５でなぞるだけでよく(図４，図９)、従来のような目盛り６の全ての横線部８にマーキングしなくとも、より分かりやすくするために、横線部８にマーキングする場合も日付毎の横線部８Ａにもマーキング用溝１６があるので、ラインを入れやすい。縦線部７全体を他の目盛り６から顕在化させて注意力を惹起させられる。
【００３４】
また、直線状にマーキングするので、簡単で且つ美麗にマーキングをすることができ、しかも、マーキング用溝１６内にされたマーキングは手(指)Ｈが触れにくいので（図１０）、マーキングが薄れるのを抑制する。
【００３５】
（作用）
薬剤師は、個別の患者の処方指示を受けた薬液を充填し、次に、複数の目盛り６から前記処方指示に該当する目盛り６を選択してマーキングする。
【００３６】
あるいは、複数の目盛り６から処方指示に該当する薬液容器１の目盛り６を選択してマーキングしてから、処方指示を受けた薬液を薬液容器１に充填する。
【００３７】
予め複数の表示態様で設けた各目盛り６には、直線状のマーキング用溝１６を設けているので、マーキング用溝１６にマーカー１５の先端を嵌合させて、直線状のマーキング用溝１６をなぞると、直線状のマーキングが完了する。
【００３８】
そのため、マーカー１５先端を、マーキング用溝１６により案内された状態で直線状にマーキングするだけでよく、マーキング作業を容易にする。
【００３９】
即ち、従来の手作業により行うマーキング作業は、予め施した薬液容器の外面の目盛りを選択して、丸印を付け、目盛りの全ての線をマーカーによりマーキングする等を行って、薬液容器に線あるいは印を付けるのは容易でなく、他の目盛りから顕在化させて注意力を惹起しようとすると、どうしても、該当目盛りの全てに丸や矢印などのしるしをつけることになり、多大な労力を要することになる。
【００４０】
元来、これらの容器の目盛りはマーキングすることを前提に作られたものではないので、調剤現場においてのマーキング作業は、非常に面倒な作業であった。
【００４１】
本願では、直線状のマーキング用溝１６にマーカー１５の先端を合せてなぞればよく、マーキング箇所および／またはマーキング回数を少なくしてマーキング作業を容易にする。
【００４２】
予め複数の表示態様で設けた各目盛り６には、薬液容器１の外面５に対して所定高さを有する一対の直線状の突条１８間にマーキング用溝１６を形成しているので、薬液充填者（薬剤師）は、目視により目盛り６の縦線部７のマーキング用溝１６を目印にマーカー１５の先端をマーキング用溝１６に合せ、直線を引くようにしてマーキングを行う。
【００４３】
マーキング用溝１６は、外面５に対して所定高さを有する左右一対の直線状の突条１８の間に設けて構成しているので、左右の突条１８によるガイド作用により、薬液容器１の外面５に直線状のマーキングを容易に行え、マーキング作業を容易にする。
【００４４】
この場合、突条１８はマーカー１５の先端によりなぞったとき、マーカー１５が乗り越えずに引っ掛かる高さを有して構成すると、一層、マーキング用溝１６からはみ出ずにマーキングを行え、美麗なマーキングとなる。
【００４５】
そのため、複数の目盛り６から選択した目盛り６を顕在化させるラインが、隣接する他の目盛り６の縦線部７に跨ってマーキングされるのを防止でき、美麗なマーキングラインとすることができ、目盛り６の誤認を防止することができる。
【００４６】
目盛り６は、縦線部７と横線部８とを、縦線部７の一方側に横線部８を設け、少なくとも、縦線部７は外面５に対して所定高さを有する左右一対の直線状の突条１８を設け、この左右の直線状の突条１８の間にマーキング用溝１６を設けて構成しているので、予め複数の表示態様で設けた各目盛り６のうちの選択した目盛り６の縦線部７をマーカー１５の先端によりなぞるだけで、他の目盛り６の縦線部７と区別することができ、患者にとって不要な目盛り６が存在していても、マーキングされて顕在化した目盛り６以外は気にならず、他の目盛り６に従うという誤認を抑制でき、また、薬液充填の現場におけるマーキングミスを回避する。
【００４７】
また、縦線部７の突条１８はマーカー１５が乗り越えずに引っ掛かる高さを有して形成しているので、薬液充填者（薬剤師）は、マーカー１５の先端を縦線部７であるマーキング用溝１６の上側部分から下側部分に至る間、マーカー１５が縦線部７を乗り越えることなく、直線状にラインを書ことができる。
そのため、容易にマーキング作業を行える。
【００４８】
また、図１〜図５のように、横線部８のうちの長横線部８Ｂにも、マーキング用溝１６を形成しているので、一回分の長横線部８Ｂを顕在化させることができ、薬剤の服用が容易になって、好適である。
【００４９】
また、マーキング用溝１６は一対の直線状の突条１８間に設けているので、マーカー１５によるマーキングが可能であって、マーキング後には患者の指Ｈがマーキングに触れにくい状態となり、目盛り６に行ったマーキングが薄くなるのを抑制でき、この点でも、服用の際の誤認防止効果を高めることができる。
【００５０】
このように、本願の目盛り６のマーキング用溝１６は、マーキング時のガイド作用を奏し、マーキング作業を簡単にする。
薬液容器１は、成形用型２０の内面所定部分に一対の直線状の凹溝状の彫刻溝２１を刻み、この成形用型２０に合成樹脂を注入し、空気を吹き込んでブロー成形で製造するので、縦線部７と横線部８の必要箇所に彫刻溝２１を刻むと、マーキング用溝１６にすることができ、容易に製造することができる。
【符号の説明】
【００５１】
１…薬液容器、３…肩部、４…上端開口部、５…外面、６、６Ａ、６Ｂ、６Ｃ、６Ｄ、６Ｅ、６Ｆ、６Ｇ、６Ｈ、６Ｋ…目盛り、７…縦線部、８…横線部、９…文字表示部、１０…全量表示部、１１…薬液量数字表示部、１４…ライン表示部、１５…マーカー、１６…マーキング用溝、１８…突条、２０…成形用型、２１…彫刻溝。
【要約】      （修正有）【課題】一回の服用量（使用量）に該当する目盛りを選択して、薬液容器の目盛りをマーキングする作業を簡単且つ美麗にできる薬液容器を提供する。【解決手段】薬液の貯留可能なボトル型形状の薬液容器１の外面５に、縦線部７と該縦線部７と交差する、上下方向に所定間隔おいて複数並設した横線部８とによって構成するライン表示部１４と、該ライン表示部１４近傍に表示した文字表示部９を有して目盛りを構成し、この目盛り６Ａ、６Ｂ，６Ｃは予め表示形態を相違させて複数設け、複数の目盛りのうち一つの目盛りを選択してマーカーによりマーキングする構成とし、複数の目盛り６Ａ、６Ｂ，６Ｃには、直線状のマーキング用溝１６を夫々設けた薬液容器。【選択図】図２【図１】
0005443581.tif 000002
【図２】
0005443581.tif 000003
【図３】
0005443581.tif 000004
【図４】
0005443581.tif 000005
【図５】
0005443581.tif 000006
【図６】
0005443581.tif 000007
【図７】
0005443581.tif 000008
【図８】
0005443581.tif 000009
【図９】
0005443581.tif 000010
【図１０】
0005443581.tif 000011
【図１１】
0005443581.tif 000012